(57)【要約】【課題】靴整理棚の一部を取り外して靴干し器として使用することによって靴干し機能を有する靴整理棚を提供すること。【解決手段】靴整理棚の所定の段に靴干し機能を有する靴入れＢを備え、この靴入れＢは靴の甲部を支持する甲支持部６と靴の踵部を支持する踵支持部５とから成る。【選択図】図１
2019126697.tif 000002
【特許請求の範囲】
【請求項１】
靴置き部材とこれを支持する支持部材とから成る靴入れを備えた靴整理棚において、前記靴整理棚の所定の段に靴干し機能を有する靴入れを備え、前記靴干し機能を有する靴入れは靴の甲部を支持する甲支持部と靴の踵部を支持する踵支持部とから成る様に構成した靴整理棚。
【発明の詳細な説明】
【技術分野】
【０００１】  本発明は靴整理棚に係わり、詳しくは靴干し機能を有するものに関する。
【背景技術】
【０００２】  一般に狭い場所に沢山並べられた靴をきちんと整理するには靴整理棚が用いられるが、靴は雨に濡れたら乾かさなければならないし、洗ったら風や日光に当てて乾かす必要がある。この機能を持つものは靴干し器であるが、これはフックにより竿に掛けて使用するものであり、靴整理棚の様に収納・整理用としては使えない。従って、靴をきちんと整理でき、かつ靴干し機能も有する靴整理棚があれば大変便利である。
【発明の開示】
【発明が解決しようとする課題】
【０００３】  本発明の目的は、靴整理棚の一部を取り外して靴干し器として使用する事によって靴干し機能を有する靴整理棚を提供しようとしたものである。しかも前記靴干し器は靴整理棚として何の支障もない機能を有するものである。
【課題を解決する為の手段】
【０００４】  本発明は上記目的を達成する為、靴置き部材とこれを支持する支持部材とから成る靴入れを備えた靴整理棚において、前記靴整理棚の所定の段に靴干し機能を有する靴入れを備え、前記靴干し機能を有する靴入れは靴の甲部を支持する甲支持部と靴の踵部を支持する踵支持部とから成る靴整理棚となる様に構成した。
【発明の効果】
【０００５】  本発明によれば靴整理棚の一部を取り外して靴干し器として使用できるので、靴が雨に濡れたら乾かす事ができるし、洗ったら風や日光に当てて良く乾かす事ができる。しかも靴を玄関に無造作に並べて干す様な見栄えが悪くなる事はなく、来客があっても困らない。
加えて、この靴干し器は従来のフックにより竿に掛けて使用するものとは異なり、靴干しが終ったら元の靴整理棚に戻して（戻すから、置き場所に困らないメリットもある）靴の収納・整理に使う事ができる秀れものである。
【発明を実施する為の形態】
【０００６】  図１は本発明による靴整理棚で、同じ構造の靴入れＡ１，Ａ２を積み重ねた構造のもので（図はＡ１，Ａ２の二段構造であるが、Ａ３，Ａ４，……と積み重ねる事により沢山の靴を収納・整理できる）、最上段は靴干しできる靴入れＢとなっている（この靴入れＢは取り外しの容易さから最上段が好ましい）。靴入れＡ１（Ａ２，……）は靴置き部材１と支持部材２，３より成り、支持部材２の下端部が支持部材３の上端部の穴４に嵌り込む事により何段も積み重ねる事が可能である（分解図を示す図２参照）。靴入れＢの支柱８，９は（これも支持部材である）その下にある靴入れＡ２の支持部材３の穴４に嵌り込む様になっている。靴入れＡ１，Ａ２（Ａ３，……）は同じ構造のものであり、１つの靴整理棚には靴入れが必らず複数個必要であるから、量産効果により低コストになる。商品梱包としては図１のままでは大き過ぎるから、支持部材３は取り外し可能の構造として、靴置き部材１を重ねるなどして、コンパクト化する事が望ましい。使い方は靴入れＡ１，Ａ２には靴を水平（又はほぼ水平）に入れ、靴入れＢには斜めに立て掛けて収納する様にする（図３（ロ）参照）。最上段にある靴干し兼用の靴入れＢは図３（イ）に示す様に靴の踵部を支持する踵支持部５と靴の甲部を支持する甲支持部６から成り（両者は共に靴置き部材１に相当するものである）、底は底板７′を有する水溜め７になっているが、底板７′を除去した単なる穴であっても良い（底板７′があれば後述の如く靴の内部からしたたり落ちる水を溜める事ができる）。
次に靴は汚れたら洗う必要がある。靴を洗って干す場合、靴の中の水を良く切った積りでも干している内に内部の水が集まって底に溜り、なかなか乾かない。靴の天地を逆にして水がしたたり落ちる様にして干すとポタポタ落ちる水が周囲を濡らし、ベランダ下を通る人に当ったら叱られもする。そこで靴干し兼用の靴入れＢを持ち上げて取り外して玄関、ベランダ、庭先などの平面部に置く。そして図３（イ）の様に靴の天地を逆にして靴を斜めに（水平と垂直の中間）立て掛け、内部の水をポタポタと水溜め７に流し落とす様にし、もう水が落ちてこないと思ったら図３（ロ）の様に靴の天地を正常に戻して靴の内部まで風や日光が届く様にして良く乾かす。靴干し兼用の靴入れＢを庭先に置く場合はポタポタ水がしたたり落ちても構わないから、底板７′は不要であり、底板７′は必要不可欠なものではない。
靴干しが終ったら靴入れＢは図１の如く元に戻して靴整理用として使用する。ブーツは図４の様に支持具１０を支持部材３に嵌め込む事により靴整理棚の横に収納する事ができる。傘も支持具１１を支持部材３に嵌め込む事により靴整理棚の横に収納する事ができる。図５は他の構造の靴整理棚を示すもので、靴置き部材１２、１３は片持ち式に支持され、最上段は図１と同様の靴干し兼用の靴入れＢとなっている。
【０００７】図１で靴入れＡ１，Ａ２を商品として流通させるに当り、支持部材３を取り外し可能な構造としてコンパクト梱包とする必要があるが、他方では靴整理棚として機能させるには消費者側で組立てが不可欠であり、面倒である。この組立てが不要な構造について次に述べる。
即ち図６（イ）において、靴置き部材１４（構造は図１の靴置き部材１と少し異なるが、基本的には同じ）の輪郭の外に支持部材１５（取り外しできない一体構造）を形成し、一方の支持部材１５は端部１４ａに、他方の支持部材１５は端部１４ｂより所定距
2019126697.tif 000003
する事なしに挿入できることは明らかである。こうして両者を重ねた図を図６（ハ）に示すが、各々の靴置き部材１４はピタリと重なり、ずれて外形が大きくなる事はなく、コンパクト化する。空間Ｓ，Ｓ′には図１の靴入れＢを収納する。
靴置き部材１４を３枚重ねる時は図６（ニ）の様に１枚だけが少しずれるのみである。図３の靴入れＢの支持部材８，９は図６の支持部材１５の穴に嵌め込む構造とするのが良い。
【図面の簡単な説明】
【０００８】
【図１】本発明による靴整理棚の図。
【図２】本発明による靴整理棚の分解図。
【図３】靴干し器を示す図。
【図４】ブーツ、傘を収納できる靴整理棚の図。
【図５】靴整理棚を示す図。
【図６】靴置き部材を示す図。
【符号の説明】１・１２・１３・１４は靴置き部材、２・３・８・９・１５は支持部材、４は穴、５は踵支持部、６は甲支持部、７は水溜め、７′は底板、１０・１１は支持具、Ａ１，Ａ２は靴入れ、Ｂは靴干し兼用の靴入れ、１４ａ・１４ｂは端部である。
【図１】
2019126697.tif 000004
【図２】
2019126697.tif 000005
【図３】
2019126697.tif 000006
【図４】
2019126697.tif 000007
【図５】
2019126697.tif 000008
【図６】
2019126697.tif 000009